(57)【要約】【課題】  噴霧時に生じ得る不具合を解消することができる噴霧装置を提供する。【解決手段】  初期動作において発光ダイオードを高速点滅表示して噴霧剤の噴霧を予告し（Ｓ１）、４秒経過後に（Ｓ２）、モータを駆動してスプレー缶のノズルを押し下げ噴霧剤を噴出する（Ｓ３）。そして、発光ダイオードを低速点滅して自動噴霧制御実行中であることを表示し（Ｓ４）、１１９５秒経過後に（Ｓ５）、ステップＳ１へ移行して各ステップＳ１〜Ｓ５を繰り返す。これにより、２０分おきの噴霧を繰り返すとともに、噴霧直前では、発光ダイオードの点滅間隔を可変する。【選択図】        図１０
2006326513.tif 000002
【特許請求の範囲】
【請求項１】
セットされたスプレー缶から噴霧剤を自動的に噴霧する噴霧装置において、
前記スプレー缶から噴霧剤を噴霧する前に噴霧することを表示して予告する予告手段を備えたことを特徴とする噴霧装置。
【請求項２】
前記予告手段が、視覚を通じて認識できるものであることを特徴とした請求項１記載の噴霧装置。
【請求項３】
前記予告手段が、発光手段であることを特徴とした請求項１又は２記載の噴霧装置。
【請求項４】
前記発光手段が、前記噴霧剤を自動的に噴霧する自動噴霧制御運転中であることを示す状態と、前記噴霧剤を噴霧する前に前記状態と異なる状態に変化させて予告を行うことを特徴とした請求項３記載の噴霧装置。
【請求項５】
前記噴霧剤を自動的に噴霧する自動噴霧制御実行中であることを発光手段を点滅して表示する自動制御中表示手段を備え、
前記予告手段は、前記噴霧剤を噴霧する前に前記発光手段の点滅間隔を変化させて前記予告を行うことを特徴とした請求項１記載の噴霧装置。
【発明の詳細な説明】
【技術分野】
【０００１】
本発明は、スプレー缶から噴霧剤を自動的に噴霧させる噴霧装置に関する。
【背景技術】
【０００２】
従来、ケースにセットされたスプレー缶から噴霧剤を自動的に噴霧させる噴霧装置が知られている（例えば、特許文献１）。
【０００３】
この噴霧装置は、予め設定した時間になるとセットされたスプレー缶のノズルを操作して、当該スプレー缶の噴霧剤を噴霧するように構成されている。
【特許文献１】特開平１０−３２８５９０号公報
【発明の開示】
【発明が解決しようとする課題】
【０００４】
しかしながら、このような従来の噴霧装置にあっては、噴霧剤を自動的に噴霧させる構造上に、人が近くに居るにも関わらず、噴霧剤が突然噴霧してしまい、人を驚かしたり、手や被覆にかかって汚してしまう等の問題があった。
【０００５】
本発明は、このような従来の課題に鑑みてなされたものであり、噴霧時に生じ得る不具合を解消することができる噴霧装置を提供することを目的とするものである。
【課題を解決するための手段】
【０００６】
前記課題を解決するために本発明の請求項１の噴霧装置にあっては、セットされたスプレー缶から噴霧剤を自動的に噴霧する噴霧装置において、前記スプレー缶から噴霧剤を噴霧する前に噴霧することを表示して予告する予告手段を備えている。
【０００７】
すなわち、セットされたスプレー缶から噴霧剤を噴霧する際には、その前に噴霧することを表示して予告する。
【０００８】
ここで、この表示方法としては、可動体を可動したり、絵や文字を表示したり、発光手段を発光する方法が挙げられる。
【０００９】
これにより、この噴霧装置の近くに居るに人は、前記表示を目視することで、視覚を通して噴霧剤が噴霧されることを確認することができる。
【００１０】
また、請求項２の噴霧装置においては、前記予告手段が、視覚を通じて認識できるものである。
【００１１】
さらに、請求項３の噴霧装置では、前記予告手段が、発光手段である。
【００１２】
そして、請求項４の噴霧装置にあっては、前記発光手段が、前記噴霧剤を自動的に噴霧する自動噴霧制御運転中であることを示す状態と、前記噴霧剤を噴霧する前に前記状態と異なる状態に変化させて予告を行う。
【００１３】
また、請求項５の噴霧装置においては、前記噴霧剤を自動的に噴霧する自動噴霧制御実行中であることを発光手段を点滅して表示する自動制御中表示手段を備え、前記予告手段は、前記噴霧剤を噴霧する前に前記発光手段の点滅間隔を変化させて前記予告を行う。
【００１４】
すなわち、噴霧剤を自動的に噴霧する自動噴霧制御実行中には、発光手段が点滅する。このため、当該噴霧装置から噴霧剤が自動的に噴霧されることが認識される。
【００１５】
そして、前記噴霧剤を噴霧する際には、その前に前記発光手段の点滅間隔が変化する。このため、前記自動噴霧制御実行中であることを示す前記発光手段によって噴霧の予告が行われる。
【００１６】
なお、前述した請求項２では、前記予告手段は、視覚を通じて認識できるものであれば良く、前述した請求項３では、前記予告手段は、発光手段で構成される。
【００１７】
そして、前述した請求項４では、噴霧剤を自動的に噴霧する自動噴霧制御運転中であることを示す状態と、前記噴霧剤を噴霧する前とでは、発光手段による発光状態を可変する。
【００１８】
このとき、前記発光手段の発光状態としては、点滅のみならず、点灯状態も含まれる。このため、前記自動噴霧制御運転中の状態では発光手段を連続点灯状態とし、前記噴霧前においては前記発光手段を点滅させる表示方法や、前記自動噴霧制御運転中の状態では発光手段を点滅状態とし、前記噴霧前においては前記発光手段を連続点灯させる表示方法等も可能となる。
【発明の効果】
【００１９】
以上説明したように本発明の請求項１の噴霧装置にあっては、セットされたスプレー缶から噴霧剤を噴霧する際には、その前に噴霧することを表示して予告することができる。これにより、近くに居るに人には、もうすぐ噴霧剤が噴霧されることを視覚を通して認識させることができる。
【００２０】
したがって、人が近くに居るにも関わらず、噴霧剤を予告無しに突然噴霧してしまう従来と比較して、人を驚かしたり、噴霧剤を手や被覆にかけて汚してしまうといった問題を解消することができる。
【００２１】
また、請求項２〜４の噴霧装置においても、同様の効果を得ることができる。
【００２２】
そして、請求項５の噴霧装置においては、噴霧剤を自動的に噴霧する自動噴霧制御実行中に、発光手段が点滅する。このため、この点滅によって当該噴霧装置から噴霧剤が自動的に噴霧されることを認識することができる。
【００２３】
そして、前記噴霧剤を噴霧する際には、その前に前記発光手段の点滅間隔が変化する。このため、前記自動噴霧制御実行中であることを示す前記発光手段を利用して、噴霧の予告を行うことができる。
【００２４】
これにより、前記発光手段の有効利用を図ることができる。
【発明を実施するための最良の形態】
【００２５】
以下、本発明の一の実施の形態を図に従って説明する。図１は、本実施の形態にかかる噴霧装置１を示す図であり、該噴霧装置１は、芳香剤や消臭剤や殺虫剤などの噴霧剤を自動的に噴霧する装置である。
【００２６】
この噴霧装置１のケース１１は、本体部１２と、該本体部１２の下端部に支持された蓋部１３とによって構成されており、該蓋部１３を前記本体部１２に沿って起立することで、当該本体部１２の前方開口部を閉鎖できるうように構成されている。
【００２７】
前記蓋部１３は、図２から図４にも示すように、上端部が先細りした形状に形成されており、当該上端部は、先端に向かうに従って後方へ傾斜するように構成されている（図３参照）。この蓋部１３前面２１の上端部には、前記噴霧剤を放出する為の放出口２２が設けられており、該放出口２２は、前記蓋部１３に取り付けられた放出口構成部材２３によって構成されている。
【００２８】
該放出口構成部材２３は、図５にも示すように、前記蓋部１３の内側に後退したお椀形状に形成されており、前記ケース１１の側面より内側に没入した没入部３１を構成している。該没入部３１の開口縁部には、側方に延出するフランジ３２が形成されており、該フランジ３２には、前記蓋部１３に設けられた取付穴３３の開口縁部に係合する係合爪３４が設けられている。
【００２９】
前記没入部３１は、図２に示したように、縦長の楕円形状に形成されており、当該没入部３１の壁面４１は湾曲面で構成され、その縦断面形状は、図５に示したように、内側に突出した円弧状に形成されている。この没入部３１の奥側には、図１及び図２並びに図５に示すように、前記放出口２２から噴霧剤を噴霧する為の縦長楕円形状の開口部４２が開設されており、該開口部４２の開口縁の下縁からは、断面円弧状の垂れ防止部４３が内側へ向けて延出している。
【００３０】
前記没入部３１の前記壁面４１には、当該没入部３１の幅方向の中央部であって、前記開口部４２より低い位置に当該ケース１１内に連通する連通穴４５が開設されており、該連通穴４５は、前記放出口２２の開口縁近傍に設けられている。この放出口構成部材２３は、上方へ向かうに従って後方に傾斜した面に沿って取り付けられており、図５に示したように、円弧状を成す縦断面形状において、最も低い位置が前記放出口２２の開口縁より内側に位置するように設定され、この最も低い低位置に前記連通穴４５が設けられている。
【００３１】
また、前記蓋部１３前面２１には、前記放出口２２より下側に位置する部位に内側に延出する液受け部５１が設けられており、該液受け部５１は、前記蓋部１３の内側面に沿って延設されている。そして、この液受け部５１の突出量は、前記連通穴４５の下部位置まで延出する長さに設定されており、前記連通穴４５より垂下した仮想線５２と交差するように構成されている。
【００３２】
前記放出口２２の上部には、発光手段としての発光ダイオード６１が設けられており、図２から図４に示したように、当該噴霧装置１の側部に設けられたスイッチ６２を操作したオン状態では、前記発光ダイオード６１の点灯状態から当該噴霧装置１の作動状態を確認できるように構成されている。
【００３３】
前記本体部１２は、図６に示すように、その背面７１に矩形状の凹部７２が設けられており、該凹部７２の上部には、三角形状のフック係止穴７３が設けられている。該フック係止穴７３の頂点部には、上方へ向けて延在する切欠部７４が設けられており、部屋の壁面に設けられたフックを当該切欠部７４に係止することで、当該噴霧装置１を前記壁面に掛けられるように構成されている。
【００３４】
この本体部１２の下端には、図１に示したように、前方に張り出した支持板８１が設けられている。該支持板８１は、図５及び図７に示したように、スプレー缶８２の底面８３より大きく設定されており、当該スプレー缶８２の底面８３を下方から支持できるように構成されている。この支持板８１の上部には、前記スプレー缶８２を保持する保持部８４が形成されている。前記支持板８１に対向した部位には、図５及び図７並びに図８に示すように、缶取付部８５が設けられており、該缶取付部８５にスプレー缶８２を交換自在にセットできるように構成されている。
【００３５】
ここで、このスプレー缶８２は、図５及び図７に示したように、噴霧剤が収容された円筒容器状の缶本体９１を備えており、該缶本体９１の上部には、上方へ向かうに従って縮径する首部９２が前記缶本体９１上縁に上部カシメ部９３を介して固定されている。前記首部９２の上部開口部は、図外の缶蓋部によって閉鎖されており、該缶蓋部は、その周縁が前記首部９２の上縁を外嵌するように折曲された状態で固定されている。これにより、前記首部９２の上縁には、折返し部９４が形成されており、該折返し部９４と前記首部９２との間には、内側に後退した括れ部９５が全周に渡って形成されている。
【００３６】
前記缶蓋部の中央には、前記缶本体９１内に連通したパイプ１０１が後退可能に立設されており、当該パイプ１０１を下方に押圧して後退させた際には、図外の弁部を解放して前記缶本体９１内の噴霧剤を外部へ噴出できるように構成されている。このパイプ１０１には、ノズル１０２が嵌着されており、該ノズル１０２からは、前記噴霧剤を噴霧する為の噴霧口が設けられた前方延出部１０３が前方へ向けて延出している。
【００３７】
前記缶取付部８５は、図５及び図７並びに図８に示すように、前記本体部１２の前記背面７１に前記凹部７２を形成する為に設けられた前方に突出する中空状の突出部１１１と、該突出部１１１の先端より前方へ向けて延出した前方延出部１１２とによって構成されている。この前方延出部１１２の前端には、前記スプレー缶８２の上部に設けられた前記折返し部９４が抜き差し自在に挿入される前方開口状の挿入溝１１３が形成されている。
【００３８】
この挿入溝１１３の上部に残存する上板部１２１には、前記挿入溝１１３に前記折返し部９４が挿入された前記スプレー缶８２のノズル部分、具体的には前記パイプ１０１及び前記ノズル１０２を上方へ延出する為の前方開口状の上方挿通部１２２が形成されており、前記ノズル１０２の前記前方延出部１０３を前記放出口２２へ向けて延出できるように構成されている。
【００３９】
また、前記挿入溝１１３の下部に残存した下板部１３１には（図８参照）、前記挿入溝１１３に前記折返し部９４が挿入された前記スプレー缶８２の前記首部９２を挿通する為の前方開口状の下方挿通部１３２が円弧状に形成されている。この下方挿通部１３２の開口縁部には、前記スプレー缶８２の前記折返し部９４と前記首部９２間に形成された前記括れ部９５に挿入され、前記折返し部９４を下方から支持する支持爪１３３が全域に渡って形成されている。
【００４０】
前記保持部８４に位置する前記本体部１２の前記背面７１には、図７に示したように、一対の縦リブ１４１，１４１と、両縦リブ１４１，１４１と交差する一対の横リブ１４２，１４２とが設けられており、該横リブ１４２，１４２は、前記保持部８４にセットされた前記スプレー缶８２の缶本体９１に沿って湾曲した円弧状に形成されている。前記保持部８４の両脇には、電池収容部１４３，１４３が設けられており、両電池収容部１４３，１４３に乾電池を収容できるように構成されている。
【００４１】
前記保持部８４の上部には、図１及び図５に示したカバー１５１で覆われた制御部空間１５２が形成されており、該制御部空間１５２には、図７に示すように、前記電池収容部１４３，１４３の乾電池で作動する電子回路が形成された電子基板１５３と、該電子基板１５３からの信号で作動するモータを備えた機構部１５４とが設けられている。該機構部１５４には、複数のギアと該ギアで駆動されるノズル操作部１５５とが設けられており、前記モータの駆動力で前記ノズル操作部１５５が作動した際に、該ノズル操作部１５５に設けられた凸部１５６が前記保持部８４に保持された前記スプレー缶８２のノズル１０２を下方に押し下げ、該ノズル１０２から噴霧剤を噴出するように構成されている。
【００４２】
図９は、当該噴霧装置１を示すブロック図であり、前記電子基板１５３に形成された電子回路は、ＩＣ等で形成された制御部１６１を中心に構成されている。
【００４３】
この制御部１６１には、前記電池収容部１４３，１４３に収容された乾電池１７１が、前記スイッチ６２を介して接続されており、該スイッチ６２のオン操作に伴って前記乾電池１７１から電源が供給されて作動するように構成されている。この制御部１６１には、前記機構部１５４を作動する前記モータ１７２と、前記発光ダイオード６１とが接続されており、前記制御部１６１からの信号に従って、前記モータ１７２が作動するとともに、前記発光ダイオード６１が点灯するように構成されている。
【００４４】
以上の構成にかかる本実施の形態の動作を、図１０に示すフローチャートに従って説明する。
【００４５】
すなわち、ケース１１に設けられたスイッチ１７１をオン操作して制御部１６１に電源を供給すると該制御部１６１が作動する。すると、初期動作として発光ダイオード６１の点灯及び消灯を、例えば０．５秒間隔で繰り返して高速点滅表示することによって、スプレー缶８２から噴霧剤を噴霧することを、その直前に予告し（Ｓ１）、この予告を開始してから所定時間、例えば４秒が経過するまで前記高速点滅を継続する（Ｓ２）。
【００４６】
このステップＳ２にて前記所定時間経過したと判断した際には、機構部１５４のモータ１７２を駆動してノズル操作部１５５を作動し、該ノズル操作部１５５の凸部１５６で当該噴霧装置１にセットされたスプレー缶８２のノズル１０２を押し下げて該ノズル１０２から噴霧剤を噴出する（Ｓ３）。このとき、前記モータ１７２による噴霧動作としては、前記ノズル操作部１５５が前記ノズル１０２を押し下げる為に必要な時間、例えば１秒間前記モータ１７２を駆動する方法が挙げられる。
【００４７】
これにより、前記スプレー缶８２から噴霧剤を噴霧する４秒前に、噴霧することを前記発光ダイオード６１の高速点滅表示によって予告することができる。
【００４８】
そして、前記発光ダイオード６１の点灯を３秒おきに繰り返して低速点滅表示を行うことで、当該噴霧装置１が噴霧剤を自動的に噴霧する自動噴霧制御実行中であることの表示を開始するとともに（Ｓ４）、この表示を開始してから所定時間、例えば２０分（１２００秒）から前記高速点滅時間である４秒と前記モータ駆動時間である１秒を減算した値である１１９５秒経過するまで前記低速点滅を繰り返す（Ｓ５）。
【００４９】
このステップＳ５の判断において前記所定時間経過した際には、前記ステップＳ１へ移行して、各ステップＳ１〜Ｓ５を繰り返す。これにより、初期動作として噴霧剤の噴霧を行った後は、２０分毎に噴霧剤を噴霧することができる。また、この定期的な噴霧を繰り返す自動噴霧制御中に前記低速点滅を繰り返す前記発光ダイオード６１は、噴霧直前の４秒間は高速点滅する。これにより、噴霧直前において、前記発光ダイオード６１の点滅間隔を可変することができる。
【００５０】
このように、セットされたスプレー缶８２から噴霧剤を噴霧する際には、その直前に噴霧することを発光ダイオード６１の高速点滅として表示して予告することができる。これにより、近くに居るに人に対しては、もうすぐ噴霧剤が噴霧されることを視覚を通して認識させることができる。
【００５１】
したがって、人が近くに居るにも関わらず、噴霧剤を予告無しに突然噴霧してしまう従来と比較して、人を驚かすといった問題を解消することができる。特に、噴霧剤が側方へ向けて噴霧される場合には、当該噴霧装置１の前に立つ人の服を噴霧剤で汚すといった事態を回避することができる。
【００５２】
また、噴霧剤を自動的に噴霧する自動噴霧制御実行中には、発光ダイオード６１が低速点滅する。このため、この低速点滅によって噴霧装置１が作動中であり、当該噴霧装置１から噴霧剤が定期的に自動噴霧されることを認識することができる。
【００５３】
そして、前記噴霧剤を噴霧する際には、その４秒前に前記発光ダイオード６１が高速点滅する。このため、前記自動噴霧制御実行中であることを示す前記発光ダイオード６１を利用して、噴霧の予告を行うことができる。これにより、前記発光ダイオード６１を有効活用することができる。
【００５４】
このとき、前記発光ダイオード６１において、待機時の１１９５秒間は３秒おきに低速点滅する一方、噴霧予告時の４秒間は０．５秒おきに高速点滅するように構成されている。このため、噴霧予告時より長い待機時での点滅を高速に設定する場合と比較して、消費電力を抑えることができ、作動時間を延長することができる。
【００５５】
なお、噴霧予告する為の表示方法としては、発光ダイオード６１の点滅に限定されるものではなく、発光体の色が変わる等の方法でも良い。更には、例えば、羽形状等の可動体を可動したり、モニターに絵や文字を表示したり、本体を振動させたりする方法等も挙げられる。
【図面の簡単な説明】
【００５６】
【図１】本発明の一実施の形態を示す斜視図である。
【図２】同実施の形態を示す正面図である。
【図３】同実施の形態を示す側面図である。
【図４】同実施の形態を示す平面図である。
【図５】図４のＡ−Ａ線に沿った断面図である。
【図６】同実施の形態を示す背面図である。
【図７】同実施の形態の本体部からカバーを外した状態を示す図である。
【図８】図７のＢ−Ｂ線に沿った断面図である。
【図９】同実施の形態を示すブロック図である。
【図１０】同実施の形態の動作を示すフローチャートである。
【符号の説明】
【００５７】
１    噴霧装置
６１    発光ダイオード
８２    スプレー缶
１０２    ノズル
１６１    制御部
１７２    モータ
【図１】
2006326513.tif 000003
【図２】
2006326513.tif 000004
【図３】
2006326513.tif 000005
【図４】
2006326513.tif 000006
【図５】
2006326513.tif 000007
【図６】
2006326513.tif 000008
【図７】
2006326513.tif 000009
【図８】
2006326513.tif 000010
【図９】
2006326513.tif 000011
【図１０】
2006326513.tif 000012